(57)【特許請求の範囲】
【請求項１】
環状の弾性部材と、
一側にテーパー状の雄テーパー部と、前記雄テーパー部の円周方向に沿って、前記弾性部材の一側を収容する弾性部材結合溝または変形部材溝が形成されたアバットメントと、
前記雄テーパー部に挿入されるよう、一側にテーパー状の雌テーパー部と、前記雄テーパー部が前記雌テーパー部に当接するように挿入されると、前記弾性部材の他側を収容することができるよう、前記雌テーパー部の円周方向に沿って、前記変形部材溝または前記弾性部材結合溝が形成されたフィクスチャーを含み、
前記アバットメントに前記弾性部材結合溝が形成されると、前記フィクスチャーに前記変形部材溝が形成され、前記アバットメントに前記変形部材溝が形成されると、前記フィクスチャーに前記弾性部材結合溝が形成され、
前記弾性部材結合溝及び前記変形部材溝は、前記雄テーパー部が前記雌テーパー部に当接するように挿入されると、前記アバットメントと前記フィクスチャーが結合されるよう、前記弾性部材を支持することができるように形成され、
前記弾性部材結合溝は、一定の荷重よりも大きな負担が掛かると、前記アバットメントと前記フィクスチャーが分離されるように、前記変形部材溝から分離される前記弾性部材を収容することができるように、半径方向にスペースが確保されるように形成され、前記変形部材溝は、前記アバットメントが前記フィクスチャーを加圧するよう加圧力が作用すると、前記弾性部材に前記加圧力が作用しないように軸方向に沿って長く形成され、
前記変形部材溝は、前記弾性部材の形状に対応して陥没形成され前記弾性部材を係止する溝係止部と、前記溝係止部から前記フィクスチャーの根部側に延設され前記フィクスチャーの軸に平行な壁形状の溝壁を備える
ことを特徴とするインプラント - アバットメント装置。
【請求項２】
前記弾性部材は、コイルばねから成ったリングまたは一部が切断されたリングを備える
請求項１に記載インプラント - アバットメント装置。
【請求項３】
前記フィクスチャーと前記アバットメントは、前記アバットメントの雄テーパー部が前記フィクスチャーの雌テーパー部に当接するように挿入されると、前記アバットメントが、前記フィクスチャーに 回転しないように形成された
請求項２に記載インプラント - アバットメント装置。
【請求項４】
前記弾性部材は、断面が円形、楕円形、 涙滴形または非定型の丸い形状である
請求項２に記載インプラント - アバットメント装置。
【請求項５】
前記弾性部材は、半径方向に変形可能な板バネと、前記板バネの円周上に着脱できるように装着されているボールを備える
請求項１に記載インプラント - アバットメント装置。
【発明の詳細な説明】
【技術分野】
【０００１】
本発明は、簡単に着脱することができるインプラント - アバットメント装置に関するもので、特に、フィクスチャーにアバットメントが結合された状態での位置を維持することができ、フィクスチャーにアバットメントを着脱可能に結合することができるように構造を改善した簡単に着脱することができるインプラント - アバットメント装置に関するものである。
【背景技術】
【０００２】
最近では、損失歯ないし喪失歯を交換するインプラント手術が普遍化されている。これらのインプラント手術方法は、通常、歯槽骨にドリリング（ｄｒｉｌｌｉｎｇ）を形成した後、フィクスチャーを固定し、各種アバットメントをフィクスチャーと固定して、最終的に補綴物をアバットメントに固定させる一連のプロセスである。
【０００３】
このようにアバットメントをフィクスチャーに固定させるために、現在広く適用される方法として、第一に、ネジなどを利用して固定させる締結タイプ、第二に、アバットメントとフィクスチャーを一定の角度範囲で相互に結合される摩擦力を利用して結合するロッキングタイプ（ｌｏｃｋｉｎｇ  ｔｙｐｅ）などに区分される。
【０００４】
まず、最初の「締結（あるいはネジ）タイプ」では、一般的にアバットメントとフィクスチャーが分離されている２ピースの形で具備され、利便性を提供しているが、結合部位付近で細菌が繁殖したりネジなどの結合手段が外れるまたは破損されるなどの恐れがある。これを防止するために、最近ではフィクスチャーとアバットメントの一体型インプラントが出たりもするが、どうしても長すぎて手術するのが不便で、ユーザーが必要とする様々な直径、長さと角度に対応して製作することも難しいという問題があり、使用が多少限定的である。
【０００５】
次に、第二の「ロッキングタイプ」は、ネジを使用しない方法でテーパー形状の組み合わせが非常に高い結合力を維持することができる、例えば、船舶の推進力を発生させるプロペラエンジンの推進軸に結合するコールドウェルディング（ｃｏｌｄ  ｗｅｌｄｉｎｇ  ）原理を適用したロッキングテーパー（ｌｏｃｋｉｎｇ  ｔａｐｅｒ）方式である。この方法は、内部のネジがないのでネジの緩み、折れなどの心配がなく、フィクスチャーとアバットメントが精密に結合しなければアバットメントが外れてしまうため、アバットメントとフィクスチャーの間に細菌が挟まり繁殖することを防止するというなどの利点を持つ。しかし、この方式は、一度精密に結合されると、フィクスチャーとアバットメントを分離することはほぼ不可能であるという問題点を有している。
【０００６】
一方、インプラント手術後もインプラント補綴は維持管理のために着脱を行う必要があり、着脱可能（ｒｅｔｒｉｅｖａｂｉｌｉｔｙ）を備えることが望ましい。つまり、手術者が望むときインプラント補綴および/またはアバットメントをフィクスチャーから分離も可能で、通常の場合には、結合された状態を堅固に維持しなければならない。また、インプラント手術後かみ合う歯との咬合力によって微細に（例えば、数μｍから数十μｍ）アバットメントがフィクスチャーに対して沈むシンキング（ｓｉｎｋｉｎｇ）が行われることがある。
【０００７】
これらの必要性によってシンキングが可能でありながら分離ないし着脱が容易な仮称「弾性（結合）型」が提案されている。つまり、通常の結合状態では、フィクスチャーに対するアバットメントの目標結合力を維持することができながら目標結合力以上の外力を加えるとアバットメントとフィクスチャーが容易に分離もすることができることが望ましい。
【０００８】
このような従来の技術の一例が特許文献１に開示されている。しかし、これら従来の技術は、補綴物とアバットメントの間に弾性体が存在しており、比較的強度が弱い補綴物の移動や動きにより、補綴物が簡単に破損したり、補綴物の固定が容易でないことがあるという問題点を有している。
【０００９】
特許文献２は、アバットメントの下端部にスプリングの弾性部ないし締結突起を備えているが、アバットメントとフィクスチャーの間の隙間に異物や細菌などが浸透するおそれがあり、構造が複雑である問題点を有している。
【００１０】
特許文献３は、アバットメントの上側が弾性変形が可能な構造や、フィクスチャーとアバットメントがねじ結合される点、弾性変形が可能な構造が非常に複雑で部品が多い点などの欠点を有している。
【先行技術文献】
【特許文献】
【００１１】
【特許文献１】韓国公開特許公報第１０−２０１４−０１３０７７３号（２０１４．  １１．  １２．公開）
【特許文献２】韓国公開特許公報１０−２０１５−００７２３６３号（２０１５．０６．２６公開）
【特許文献３】韓国登録特許公報第１０−１３８６５６０号（２０１４．０４．１７広告）
【発明の概要】
【発明が解決しようとする課題】
【００１２】
本発明の目的は、フィクスチャーと結合された状態を安定的に維持することができながら、歯のかみ合う咬合力によって一定の外力以下でより沈んだ状態でも結合された状態を維持することができながら、簡単に着脱することができるインプラント - アバットメント装置を提供することである。
【００１３】
また、本発明の他の目的は、必要に応じてフィクスチャーとアバットメントが結合を維持することができる目標結合力以上の外力を加えると、アバットメントがフィクスチャーから分離が可能であり簡単に着脱することができるインプラント - アバットメント装置を提供することである。
【００１４】
また、本発明の他の目的は、構造が簡単で部品を削減することができ、経済性を向上することが可能な、簡単に着脱することができるインプラント - アバットメント装置を提供することである。
【００１５】
また、本発明の他の目的は、インプラント補綴物の交換作業を容易にすることができ、患者および/または手術者の利便性と信頼性を向上することが可能な、簡単に着脱することができるインプラント - アバットメント装置を提供することである。
【００１６】
また、本発明の目的は、結合された状態を、そのまま維持してフィクスチャーとアバットメントの間の緩衝等による流動が発生しなく、流動による隙間に病原菌、ウイルスなどにより汚染されて炎症などを発生させることを防ぐことができ、簡単に着脱することができるインプラント - アバットメント装置を提供することである。
【課題を解決するための手段】
【００１７】
本発明の目的は、歯槽骨に結合され、内側にテーパー形状の雌テーパー部を含むフィクスチャーと；一側は前記雌テーパー部とかみ合って結合可能に前記雌テーパー部に対応した形状を有する雄テーパー部を含み、他側は補綴物が結合されるアバットメントと；前記アバットメントが、前記フィクスチャーに結合された状態を維持して歯槽骨から離れることを抑制するロッキング位置とかみ合う歯の咬合力によって歯槽骨に向かって移動して、沈む位置であるシンキング（ｓｉｎｋｉｎｇ）位置の間を移動可能に前記雌テーパー部と、前記雄テーパー部との間に設けられた弾性部;とを含むことを特徴とする弾性結合型アバットメント装置によって達成される。
【００１８】
また、前記弾性部は、前記フィクスチャーに前記アバットメントが結合される過程で、弾性変形ができるよう設けられた弾性部材と；前記弾性部材が、前記雌テーパー部および前記雄テーパー部のいずれかに弾性変形結合が可能に形成された弾性部材結合溝と;前記弾性部材が前記ロッキング位置と前記シンキング位置の間を移動可能にした前記雌テーパー部および前記雄テーパー部の他の一つに形成された変形部材の溝;とを含むことが望ましい。
また、弾性部材は、リング形状を含むことが望ましい。
【００１９】
また、前記フィクスチャーに対して前記アバットメントが結合された状態で回転の抑制が可能な前記雌テーパー部および前記雄テーパー部の領域又は前記雌テーパー部および前記雄テーパー部の領域から延長された領域に設けられた回転防止部を含むことが望ましい。
【００２０】
一方、本発明の目的は、歯槽骨に結合され、内側にテーパー形状の雌テーパー部を含むフィクスチャーと；一側は前記雌テーパー部とかみ合って結合可能に前記雌テーパー部に対応した形状を有するできる雄テーパー部を含み、他側は補綴物が結合されるアバットメントと；前記フィクスチャーに対して前記アバットメントが結合された状態で回転の抑制が可能な前記雌テーパー部および前記雄テーパー部の領域又は前記雌テーパー部および前記雄テーパー部の領域から延長された領域に設けられた回転防止部と;前記アバットメントが、前記フィクスチャーに結合された状態を維持して歯槽骨から離れることを防止するロッキング位置とかみ合う歯の咬合力によって歯槽骨に向かって移動して、沈む位置であるシンキング（ｓｉｎｋｉｎｇ）位置の間を移動可能に前記回転防止部に設けられた弾性部;とを含むことを特徴とする弾性結合型アバットメント装置によっても達成される。
【００２１】
一方、本発明の目的は、歯槽骨に結合されるフィクスチャーと前記フィクスチャーに結合されるアバットメントを有するアバットメント装置において、前記フィクスチャーおよび前記アバットメントは、それぞれ結合部（ｃｏｕｐｌｉｎｇ  ｐａｒｔ）と係止部(latching part)で相互に接触され結合され、前記結合部又は前記詰まり部に対して弾性変形が可能に結合され、前記フィクスチャーに対して前記アバットメントが移動することを抑制して結合された状態を維持させることができるように用意された弾性部;を含むことを特徴とするアバットメント装置によっても達成される。
【００２２】
また、前記係止部および前記結合部と接触する領域がテーパー形状を含み、前記アバットメントが、前記フィクスチャーにより密着される力が加わると、前記弾性部はさらに押し出され沈んだシンキング状態を維持可能に設けられたものが望ましい。
【００２３】
また、前記弾性部は、弾性変形が可能な弾性部材を含み、前記弾性部材は、前記アバットメントに垂直に作用する力によって、前記弾性部材は、垂直方向に弾性変形されず、水平方向に弾性変形することが望ましい。
また、前記弾性部材は、リング形状のスプリング（ｃｏｉｌ  ｓｐｒｉｎｇ）を含むことが望ましい。
また、前記弾性部材は、リング形状の一部が切断されて弾性変形が可能な形状（「Ｃ」形状）を含むことが望ましい。
また、前記弾性部材の断面は、円形、楕円形、涙滴状または非定型の丸い形状を含むことが望ましい。
【００２４】
また、前記アバットメントが、前記フィクスチャーに結合される形式は、サブマージドタイプ（ｓｕｂｍｅｒｇｅｄ  ｔｙｐｅ）、インターナルサブマージドタイプ（ｉｎｔｅｒｎａｌ  ｓｕｂｍｅｒｇｅｄ  ｔｙｐｅ）、エクスターナル・タイプ（ｅｘｔｅｒｎａｌ  ｔｙｐｅ）を含むことが望ましい。
【００２５】
また一方で、本発明の目的は、歯槽骨に結合されるフィクスチャーと前記フィクスチャーに結合されるアバットメントを有するアバットメント装置において、前記フィクスチャーおよび前記アバットメントは、それぞれ結合部と係止部で相互接触されて結合され、前記結合部又は前記詰まり部に対して弾性変形が可能に結合され、前記フィクスチャーに対して前記アバットメントが移動することを抑制して結合された状態を維持させることができるように用意された弾性部;を含み、前記弾性部は、弾性変形が可能に設けられた前記の結合部および前記詰まり部に結合されるリング形状のコイルスプリングを含むことを特徴とするアバットメント装置によっても達成される。
【００２６】
また一方で、本発明の目的は、歯槽骨に結合されるフィクスチャーと前記フィクスチャーに結合されるアバットメントを有するアバットメント装置において、前記フィクスチャーおよび前記アバットメントは、それぞれ結合部と係止部で相互に接触され結合され、前記結合部又は前記詰まり部に対して弾性変形が可能に結合され、前記フィクスチャーに対して前記アバットメントが移動することを抑制して結合された状態を維持させることができるように用意された弾性部;を含むことを特徴とするが、前記弾性部は、前記結合部および前記係止部のいずれかに弾性変形が可能に結合された板バネと、複数設けられ、前記板バネの円周上に着脱可能に前記結合部および前記詰まり部に結合されるボールを含む位置の維持手段を含むことを特徴とするアバットメント装置によっても達成される。
【発明の効果】
【００２７】
本発明によると、フィクスチャーと結合された状態を安定的に維持することができながら、歯のかみ合う咬合力によって一定の外力以下で若干の移動が可能でき、必要に応じてフィクスチャーとアバットメントが結合を維持することを目標結合力以上の外力を加えると、アバットメントがフィクスチャーから分離が可能な簡単に着脱することができるインプラント - アバットメント装置を提供することができる。
【００２８】
また、構造が簡単で部品を削減することができ、経済性を向上することができながら、インプラント補綴物の交換作業を容易にすることができて、患者および/または手術者の利便性と信頼性を向上することができる、簡単に着脱することができるインプラント - アバットメント装置を提供することができる。
【００２９】
また、結合された状態を、そのまま維持してフィクスチャーとアバットメントの間の緩衝等による流動が発生しないため、流動による隙間に病原菌、ウイルスなどによって汚染されて炎症などを発生させることを防ぐことができるインプラント - アバットメント装置を提供することができる。
【図面の簡単な説明】
【００３０】
【図１】本発明の＜第１の実施例＞によるアバットメント装置を含むインプラントの断面図
【図２】図１の要部部位の分離断面図
【図３ａ】本発明の実施形態に係るアバットメント装置の結合過程を説明するための概略図
【図３ｂ】本発明の実施形態に係るアバットメント装置の結合過程を説明するための概略図
【図３ｃ】アバットメント装置の結合位置とシンキング位置を説明するための概略図
【図３ｄ】アバットメント装置が分離される過程を説明するための概略図
【図３ｅ】アバットメント装置が分離される過程を説明するための概略図
【図４】本発明の＜第２の実施例＞を示す断面図
【図５】本発明の＜第３の実施例＞を示す断面図
【図６】本発明の＜第４の実施例＞によるアバットメント装置を含むインプラントの断面図
【図７】図６の要部部位の分離断面図
【図８ａ】本発明の実施形態に係るインプラント装置の結合過程を説明するための断面図
【図８ｂ】インプラント装置の結合位置を説明するための断面図
【図８ｃ】インプラント装置が分離される過程を説明するための概略断面図
【図８ｄ】インプラント装置が分離される過程を説明するための概略断面図
【図９】本発明の＜第５の実施例＞を示す断面図
【図１０】本発明の＜第６の実施例＞を示す断面図
【図１１ａ】アバットメント装置の＜第７の実施例＞を示した断面図
【図１１ｂ】アバットメント装置の＜第７の実施例＞を示した断面図
【図１２】アバットメント装置の＜第８の実施例＞を示した断面図
【図１３ａ】本発明の「第９の実施例>を説明するための結合前と結合後を比較した断面図
【図１３ｂ】本発明の「第９の実施例>を説明するための結合前と結合後を比較した断面図
【図１４ａ】本発明の＜第１０の実施例＞を説明するための断面図と要部の斜視図
【図１４ｂ】本発明の＜第１０の実施例＞を説明するための断面図と要部の斜視図
【図１５】図１４ａおよび図１４ｂの他の実施例を説明するための断面図
【発明を実施するための形態】
【００３１】
本発明の一実施例に係る簡単に着脱できるインプラント - アバットメント装置１００（以下では「インプラント装置」とする）について以下の図１ないし図１５を参照して、具体的に説明すると、次のようである。
<第１の実施例>
【００３２】
インプラント装置１００を含むインプラントは、図１に示すように、歯槽骨１０に結合され、内側にテーパー形状の雌テーパー部１１３を含むフィクスチャー１１０と、歯槽骨１０の上側に、外部に露出された歯茎５０ないし歯肉と、フィクスチャー１１０に結合されるアバットメント１３０と、アバットメント１３０に結合されて外観を形成してかみ合う歯と咬合される補綴物３０ないしクラウンを含む。
【００３３】
アバットメント１３０の一側は、前記雌テーパー部１１３と噛み合って結合可能に前記雌テーパー部１１３に対応した形状を有する雄テーパー部１３３を含み、他側は補綴物３０が結合される。
【００３４】
弾性部１５０は、前記アバットメント１３０が前記フィクスチャー１１０に結合された状態を維持して歯槽骨１０から離れることを抑制するロッキング位置（図３ｃ参照）と噛み合う歯の咬合力の作用によってアバットメント１３０が歯槽骨１０に向かって移動して、沈む位置であるシンキング（ｓｉｎｋｉｎｇ）位置（図３ｃの下側の矢印表示を参照）との間を移動可能に前記雌テーパー部１１３と、前記雄テーパー部１３３との間に形成されている。
【００３５】
前記弾性部１５０は、前記フィクスチャー１１０に前記アバットメント１３０が結合される過程で、弾性変形が可能に設けられた弾性部材１５３と;前記弾性部材１５３が前記雌テーパー部１１３および前記雄テーパー部１３３のいずれかに弾性変形結合可能に形成された弾性部材結合溝１５５と;前記弾性部材１５３が前記ロッキング位置と前記シンキング位置の間を移動可能に前記雌テーパー部１１３および前記雄テーパー部１３３の他の一つに形成された弾性部材溝１５７を備えることが望ましい。
【００３６】
以下で示した図１ないし図３ｃは、本発明の一実施例としてロッキング位置で弾性部材１５３がフィクスチャー１１０に結合され、弾性部材結合溝１５５は、アバットメント１３０に形成されてあり、弾性部材溝１５７は、フィクスチャー１１０に形成されていることを示した図である。
【００３７】
弾性部材１５３は、一例として図２に示すように、断面が円形であるリングないしリング形状に設けられリング状の円柱が続いてなく一部が切断された形状として備えられたものが好ましく、結合位置でフィクスチャー１１０の弾性部材溝１５７に密着することができる弾性力を備えたことが望ましい。弾性部材１５３の断面の形状は、必要に応じて円形ではなく、楕円形などの多様な形状を含むことができ、弾性部材１５３の材質は、一例として、形成記憶合金を含むことができ、人体に害を与えていない許可された材質やこれらの材質でコーティングすることもできる。
【００３８】
弾性部材結合溝１５５は、後述するようにフィクスチャー１１０にアバットメント１３０を結合する過程で、弾性部材１５３が弾性部材結合溝１５５の内側にすぼむよう/収縮するように変形して溝係止部１５７ａを通過できるように形成されていることが望ましい。つまり、このような構造により、図３ａの拡大図の「ＧＡＰ」である空間に弾性部材１５３が弾性変形されてすぼみ/収縮して弾性部材１５３が一番狭い区間である溝係止部１５７ａを通過することができる。また、弾性部材結合溝１５５の下端部は、ロッキング位置から雌テーパー部１１３とすることが雄テーパー部１３３の結合力に加えて、アバットメント１３０がフィクスチャー１１０から結合された状態を維持するように弾性部材１５３にかかる溝下部係止部１５５ａを備えることが望ましい。これらの溝下部係止部１５５ａは、今後必要に応じてアバットメント１３０をフィクスチャー１１０から分離させる過程で、弾性部材１５３が外力によって内側にすぼむよう加圧して、後述する溝係止部１５７ａと一緒に弾性部材結合溝１５５に弾性部材１５３を案内するようにする機能もある。
【００３９】
弾性部材溝１５７は、フィクスチャー１１０に形成されてロッキング位置から弾性部材１５３が結合されて位置保持されるように弾性部材１５３の断面形状に備わった溝係止部１５７ａと、溝係止部１５７ａの下側に溝係止部１５７ａの外径と同じ径に延長された溝壁１５７ｂを備えることが望ましい。
【００４０】
このような構造によって弾性部材１５３の上側と外側は弾性部材溝１５７の溝係止部１５７ａに密着され、弾性部材１５３の下側は、溝下部係止部１５５ａと接触してアバットメント１３０は、ロッキング位置を維持することができる。
【００４１】
ロッキング位置でフィクスチャー１１０にアバットメント１３０が結合されてロッキングを維持する目標結合力を考慮して、雌テーパー部１１３とすることが雄テーパー部１３３の傾斜角度（図２での「Ｂ」参照）と精度、弾性部材１５３の材質、直径、断面の形状。リングの直径などを選定することが望ましい。
【００４２】
これらの弾性部１５０のロックを維持作用により、従来技術では非常に高い精度でロッキングされていることに比べて、雌テーパー部１１３と雄テーパー部１３３の精度を多少減らすことができるため、従来のロッキングタイプより製作費を減らすことができ、一方、本発明でも、雌テーパー部１１３や雄テーパー部１３３との間で細菌が侵入することを防ぐことができるほどの精度を維持することが望ましい。
このような構成を有するインプラント装置１００の結合過程を図３ａおよび図３ｂを参照して具体的に説明すると、次の通りである。
【００４３】
まず、図３ａに示すように、フィクスチャー１１０が歯槽骨１０に埋入された状態で、弾性部材１５３を弾性部材結合溝１５５に結合したままでアバットメント１３０をフィクスチャー１１０ に結合させるように加圧する。
【００４４】
これらの加圧力によって図３ｂに示すように、リング状の弾性部材１５３が最も狭い領域である溝係止部１５７ａから弾性部材結合溝１５５の内側に弾性変形されてすぼんだ後（図３ｂの「点線」および「ｄｍｉｎ」を参照）より下降する且つ溝係止部１５７ａを超えると、弾性部材１５３の外側に広がろうとする弾性力によって「カチッ」と言いながら溝係止部１５７ａに結合（図３ｂの「点線」と「ｄsink」を参照）され、弾性部材１５３はロッキング位置から位置を維持することができる。つまり、ロッキング位置から弾性部材１５３の上部から外側段に向かう領域はフィクスチャー１１０の溝係止部１５７ａに接触されて下側は、アバットメント１３０の溝係止部１５５ａに結合された状態であるロッキング位置を維持することができる（図３ｃ参照）。
これらのロッキング位置から連結歯の咬合力によってシンキング作用が行われる過程は図３ｃを参照して説明すると、次の通りである。
【００４５】
外部の咬合力（図３ｃの「Ｙ１」を参照）が作用すると、アバットメント１３０は、フィクスチャー１１０に対して下側に移動することができる（無論、ここでの移動量は、非常に微細な数ミクロンから数十ミクロンの範囲であることができる）。移動が可能な理由は、従来技術とは異なり、弾性部材１５３が弾性部材溝１５７に沿って下側に移動することができるからである。すなわち、本発明によれば、連結歯の咬合力によってアバットメント１３０が下側に移動する/沈むシンキング作用をすることができる。
【００４６】
ただし、一定の目標結合力以上の分離可能な外力以下（図３ｃの矢印「Ｙ２」を参照）では、雌テーパー部１１３とすることが雄テーパー部１３３の結合力と弾性部材１５３のロッキング作用によってアバットメント１３０がフィクスチャー１１０から分離されていないのは無論である。
そして、アバットメント１３０をフィクスチャー１１０から分離する過程を図３ｄと３eを参照して具体的に説明すると、次の通りである。
【００４７】
まず、取り外し可能な外力（図３ｄおよび図３ｅの「Ｆ−ｅｘｔ」を参照）を加えると、溝下部係止部１５５ａが弾性部材１５３を上側に加圧し、弾性部材１５３の上側には溝係止部１５７ａに沿って弾性部材１５３が弾性部材結合溝１５５に案内されることができる。
【００４８】
ここで、ロッキング位置から溝下部係止部１５５ａが弾性部材１５３と接触した位置は、弾性部材１５３の断面の上下中心軸線（図３ｅの「Ｙ−Ｙ」を参照）よりも外側に離間された位置（ 図３ｅ の「Ｋ」を参照）であることが望ましい。そして、前述したように、弾性部材の上部ないし上部に近接されるように 最外側に向かう領域では、円形の弾性部材１５３の形状に対応した溝係止部１５７ａによる接触されており、外力の加圧によって弾性部材１５３が弾性部材結合溝１５５の内側に向かって容易に収縮されることができる 。
【００４９】
徐々に加圧をしてアバットメント１３０を上側に持ち上げると弾性部材１５３が、図３ｅのようにアバットメント１３０の弾性部材結合溝１５５に位置してアバットメント１３０をフィクスチャー１１０から容易に分離することができる。
【００５０】
そこで、本発明によると、フィクスチャーと結合された状態を安定的に維持することができながら、歯のかみ合う咬合力によってシンキングが可能で、必要に応じて目標結合力以上の外力を加えると、フィクスチャーから分離することができるアバットメント装置を提供することができる。
【００５１】
また、構造が簡単で部品を削減することができ、経済性を向上させることができ、インプラント補綴物の交換作業を容易にすることができ、患者および/または手術者の利便性と信頼性を向上することができるアバットメント装置を提供することができる。
<第２の実施例>
【００５２】
本発明に係る他の実施例のインプラント装置２００は図４を参照して具体的に説明すると、次の通りである。また、前述した実施例と同一の構成の参照番号に前述した実施例の構成の参照番号「一」の単位、「十」の単位数と同じように表示し、以下の実施例にも同様である。
【００５３】
本実施例は、前述した実施例とは異なり、弾性部材２５３は弾性変形が可能に結合される弾性部材結合溝２５５がフィクスチャー２１０に形成されてあり、弾性部材２５３が移動することができ、シンキング効果を発生させることができる弾性部材溝２５７がアバットメント２３０に形成されている。つまり、ロッキング位置では弾性部材２５３が弾性部材溝２５７の内径に密着されている構造である。
このような本実施例の構成は、前述した構成と位置を除いて、各構成の機能、作用、効果などが、前述した実施例と同様であるので、具体的な説明を省略する。
<第３の実施例>
【００５４】
図５は、本発明の他の実施例に係るインプラント装置３００を図示したものであり、 フィクスチャーに対してアバットメントが結合された状態で上下回転の抑制が可能に雌テーパー部３１３および雄テーパー部３３３の領域又は雌テーパー部３１３および前記雄テーパー部３３３の領域から延長された領域に、六角形断面のような回転防止部（１１５、１３５）をさらに含み、弾性部３５０はこれらの回転防止部（１１５、１３５）に形成されてあり、各構成の機能、作用、効果などは、前述した実施例と同じなので、具体的な説明を省略する。
これらの回転防止部（１１５、１３５）は、雌テーパー部３１３および雄テーパー部３３３に形成されることもあることは、無論である。
<第４の実施例>
【００５５】
本発明の他の実施例に係るインプラント装置１１００は、図６ないし図８ｄに示すように、歯槽骨１０１０に結合されるフィクスチャー１１１０と、前記フィクスチャー１１１０に結合されるアバットメント１１３０を備え、前記フィクスチャー１１１０および前記アバットメント１１３０は、それぞれ部結合部１１１３と係止部１１３３で相互に接触され結合され、一側は前記部結合部１１１３に結合され、他側は前記係止部１１３３に結合され、前記フィクスチャー１１１０に、前記アバットメント１１３０を結合維持する結合位置と前記フィクスチャー１１１０から前記アバットメント１１３０を着脱時の弾性変形により前記部結合部１１１３と、前記係止部１１３３のいずれか一つに移動される変形位置の間を移動可能に設けられた弾性部１１５０;を含むことが望ましい。
【００５６】
また、弾性部１１５０は、後述するコイルスプリングを含む弾性変形が可能な弾性部材１１５３を含み、弾性部材１１５３は、前記アバットメント１１３０に垂直に作用する力によって、前記弾性部材１１５３は、垂直方向に弾性変形されず、水平方向に弾性変形することが望ましい。
【００５７】
アバットメント１１３０の一側は、前記部結合部１１１３と噛み合って結合可能に前記部結合部１１１３に対応した形状を有する係止部１１３３を含み、他側は補綴物１０３０が結合される。
【００５８】
部結合部１１１３と係止部１１３３は、フィクスチャー１１１０とアバットメント１１３０が相互に結合されて接触して弾性部１１５０によって結合される領域である。
【００５９】
弾性部１１５０は、前記係止部１１３３と、前記部結合部１１１３のいずれかにおいて、前記結合位置（図６、図８ｂ参照）を維持可能に前記係止部１１３３と、前記部結合部１１１３のうち、他の一つにおいて、前記変形位置（図８ａ、図８ｄ参照）を維持することができ、前記係止部１１３３と前記部結合部１１１３に結合されたものが望ましい。
【００６０】
弾性部１１５０は、弾性変形が可能な弾性部材１１５３と；前記弾性部材１１５３の一側が前記部結合部１１１３および、前記係止部１１３３のいずれかに結合可能に陥没形成された弾性部材結合溝１１５５と;前記弾性部材１１５３の他側が前記結合位置の前記弾性部材結合溝１１５５と対応する領域に、前記部結合部１１１３と、前記係止部１１３３の他の一つに陥没形成された弾性部材溝１１５７;を含み、前記ロッキング位置から前記弾性部材１１５３の断面の中心軸垂直方向の延長線が、前記弾性部材の結合溝１１５５または前記弾性部材溝１１５７の下側最外郭に位置する係止部より外側に位置して、前記結合位置でロックされるように設定された力である目標結合力よりも大きな外力を前記アバットメント１１３０に加えると、前記弾性部材１１５３が前記弾性部材の結合溝１１５５または前記弾性部材溝１１５７で弾性変形して移動して、前記アバットメント１１３０が、前記フィクスチャー１１１０から分離されることが望ましい。
【００６１】
以下での説明の便宜のために、図６ないし図８ｄに示すように弾性部材結合溝１１５５は、アバットメント１１３０の係止部１１３３に陥没形成されてあり、弾性部材結合溝１１５５に対応した位置にフィクスチャーの部結合部１１１３に弾性部材溝１１５７が陥没形成されている場合について説明する。
【００６２】
弾性部材１１５３は、弾性変形が可能な様々な形状に備えられることができ、例えば、リング形状のスプリングを含むことが望ましい。リング形状のスプリングは、コイルスプリング（ｃｏｉｌ  ｓｐｒｉｎｇ）と呼ばれもして、図７に部分的に示されている形でスプリングをリング状ないしリング形状に接続したものとして含む。
【００６３】
無論、弾性部材１１５３は、通常の棒形の部分が切断されて弾性変形が可能なリング形状を含むことができるが、前述したスプリングから成るリング形状の弾性部材１１５３は、棒形のリング形状より重量が軽く、特に人体に使用する特殊な材質であることを考慮すると、生産、製造などが容易で弾性変形に対する弾性力調整なども有利であり経済性、安定性をはるかに増大させることができる。  
また、弾性部材１１５３は、後述するように、図７に示すように楕円形の断面に設けられることができる。
【００６４】
また、弾性部材１１５３として使用されるスプリングの外径、線径、ピッチ、弾性部材結合溝１１５５の深さなどは、フィクスチャー１１１０に結合されるアバットメント１１３０の結合位置での目標結合力に応じて選択可能で適用範囲がより広くなることができるものが望ましい。
【００６５】
また、弾性部材１１５３で使用されるリング形状のスプリングは、外径側に膨張する方向（図６ないし図８ｄを参照）に弾性変形したり内径側に収縮しようとする方向（後述する他の実施例も９参照）に弾性変形することができることが望ましい。これらの弾性変形の方向は、棒形リング形状の弾性部材１１５３の場合にも、前述したのと同じように適用することができる。
【００６６】
弾性部材結合溝１１５５は、結合位置で弾性部材１１５３を結合保持するように弾性部材１１５３の外側を収容し、その形状は弾性部材１１５３の形状に対応した形状に陥没している。弾性部材結合溝１１５５の深さ（図７の「ｄ１」を参照）は、弾性部材１１５３の直径に対応して弾性部材１１５３が収容されるよう形成されることが望ましい。つまり、弾性部材１１５３が結合される結合位置で弾性部材１１５３の最低限の面積が弾性部材結合溝１１５５に収容されてアバットメント１１３０がフィクスチャー１１１０から結合されたり、分離される過程で弾性部材１１５３の最大の面積が弾性部材結合溝１１５５に収容される。
【００６７】
そして、弾性部材結合溝１１５５の入口側の幅（図７の「Ｗａ１」を参照）は、弾性部材１１５３の直径（図７の「ｄ」を参照）が通過できる大きさで設けられることが望ましい。
【００６８】
ここで、弾性部材溝１１５７は、結合位置で弾性部材１１５３が結合されて弾性部材１１５３がフィクスチャー１１１０とアバットメント１１３０に結合された位置を維持させるようにする機能をする。
【００６９】
弾性部材溝１１５７の入口側の上側は溝状係止部１１５７ｂが形成されてあり、弾性部材１１５３の形状に対応して陥没形成されて延長された後、垂直方向に一定の長さに延長された垂直壁形状の溝壁１１５７ａを備えている。
【００７０】
これらの溝壁１１５７ａは、アバットメント１１３０がフィクスチャー１１１０に結合された後に補綴物１０３０に咬合力などの垂直力が作用すると、部結合部１１１３と係止部１１３３との間に力が作用してフィクスチャー１１１０の延性によって、より密着するようになり咬合力などによりアバットメント１１３０がやや沈む現象（ｓｉｎｋｉｎｇ現象）が発生することができる空間を確保することができる（このような現象は、特に結合部（ｃｏｕｐｌｉｎｇ  ｐａｒｔ）１１１３と係止部（ｌａｔｃｈｉｎｇ  ｐａｒｔ）１１３３が傾斜形のコニカルインターフェース（ｃｏｎｉｃａｌ  ｉｎｔｅｒｆａｃｅ）である場合に主に発生（図６ないし図９、図１２、図１３ａおよび図１３ｂを参照）して、そうではなく平面対平面が結合されるフラット・ツー・フラット・インターフェース（ｆｌａｔ−ｔｏ−ｆｌａｔ  ｉｎｔｅｒｆａｃｅ）である場合（図１１ａ、１１ｂを参照）には、沈む現象が発生しないことが望ましい）。
【００７１】
そして、図７の拡大断面図に示すように弾性部材結合溝１１５５の入口側の下側の係止部である溝下部係止部１１５５ａの垂直延長線位置（図７の「ＣＬ２」を参照）よりも弾性部材１１５３の中心軸の垂直延長線（図７の「ＣＬ１」を参照）は、弾性部材結合溝１１５５の外側に位置し、その間隔は離間（図７の「Ｋ」を参照）されている。このような構造により、弾性部材１１５３が弾性部材結合溝１１５５と弾性部材溝１１５７に結合されて外力によって変形位置に弾性変形することができる。すなわち、本実施例では、外力を加えると弾性部材溝１１５７に収容された弾性部材１１５３は、弾性部材の結合溝１１５５の内側に押されて（リング形状の半径方向に直径が小さくなって）弾性部材１１５３は、弾性部材の結合溝１１５５側に徐々に移動してフィクスチャー１１１０からアバットメント１１３０が分離されることができる。
【００７２】
結合位置でフィクスチャー１１１０にアバットメント１１３０が結合されてロッキングを維持する目標結合力を考慮して、部結合部１１１３と係止部１１３３の傾斜角度（図７での「Ｂ」を参照）と精密度、弾性部材１１５３の材質、直径、断面の形状。リングの直径などを選定することが望ましい。
説明していない参照番号「１０５０」は、歯茎（歯肉）を示す。
このような構成を有するインプラント装置１１００の結合過程を図８ａおよび図８ｂを参照して具体的に説明すると、次の通りである。
【００７３】
まず、図８ａに示すように、フィクスチャー１１１０が歯槽骨１０１０に埋入された状態で、弾性部材１１５３を弾性部材結合溝１１５５に結合したままでアバットメント１１３０をフィクスチャー１１１０に結合させるように加圧する。
【００７４】
これらの加圧力によってリング状ないしリング形状の弾性部材１１５３が係止部１１３３と接触しながら弾性部材結合溝１１５５の内側に移動するように収縮される。ここで、より下降して係止部１１３３と部結合部１１１３との間が接触すると弾性部材結合溝１１５５と弾性部材溝１１５７が対応した位置である結合位置に到達し、弾性部材１１５３の外側に膨張しようとする弾性力によって「カチッ」との音と一緒に弾性部材１１５３は、図８ｂのような結合状態を維持してフィクスチャー１１１０にアバットメント１１３０が結合されるようになる。これらの結合された位置を維持することが望ましい。
【００７５】
図８ｂに示すように結合位置で（外部からの一定の力である目標結合力（図８ｂの「Ｙ２」を参照）よりも少ない力である場合）動かず、ただ、ユーザーが食べ物を咀嚼するなどによりアバットメント１１３０に咬合力（図８ｂの「Ｙ１」を参照）が作用すると、これらの咬合力が部結合部１１１３と係止部１１３３を接触させる力として作用して強固な剛体であるフィクスチャー１１１０が、延性を備えているので、多少広がることができ、微細な移動によってアバットメント１１３０が下側に移動することができるアバットメント１１３０から補綴物１０３０が沈むシンキング（ｓｉｎｋｉｎｇ）現象が発生することがある。これらのシンキング状態をそのまま維持することができることも、本発明の弾性部１１５０の特徴である。
【００７６】
すなわち、本実施例のようなテーパー状の部結合部１１１３と係止部１１３３との間が、前述した繰り返される咬合力によって延性を有する部結合部１１１３は、より広がって部結合部１１１３と係止部１１３３がより密着してアバットメント１１３０がフィクスチャー１１１０に向けて、より沈むシンキング現象ないしシンキング状態が発生して、これらのシンキング状態を維持できる力は、弾性部１１５０で発生する水平的な弾性部材結合溝１１５５または弾性部材溝１１５７側に作用する弾性力と部結合部１１１３と係止部１１３３との間の摩擦による結合力であることがある。
【００７７】
ここで、図８ｂの弾性部材結合溝１１５５の点線で示されている部分が結合位置にアバットメント１１３０がフィクスチャー１１１０に結合される過程で、結合する弾性部材結合溝１１５５側に収縮した/すぼんだ弾性部材１１５３が弾性部材溝１１５７でカチッと結合される位置が結合位置であり、咬合力などの外力によってフィクスチャー１１１０に向かってアバットメント１１３０で作用する垂直力によってフィクスチャー１１１０とアバットメント１１３０が密着してアバットメント１１３０がさらに下降して沈む現象をシンキング形状とし、これらのシンキング現象が起きた位置をシンキング位置とし、これを点線で表示し結合位置とシンキング位置との差を図８ｂから「Ｙｓｉｎｋ」として表示した。
【００７８】
ただし、後述するように図８ａおよび図８ｂの場合と同じである場合には、前述した結合部と詰まり部テーパー形状ではないのでテーパーによって摩擦によって発生する結合力は発生しないこともある。つまり、このようなシンキング現象は、前述したフィクスチャー１１１０とアバットメント１１３０が結合される形式や後述するサブマージドタイプなどの構造に応じて発生したり発生しなかったりする可能性もあるのは無論である。
【００７９】
つまり、このような本発明の特徴により、従来技術とは異なり、ボルト等によって結合されず、弾性部によって結合されながらも緩衝作用が発生しなく、フィクスチャーとアバットメントが結合される面が結合された状態では、相対的に移動せずに結合した状態を維持することができ、緩衝等により移動した場合に発生する隙間からスライディング面（または本発明の接触領域である係止部または結合部の間）の間に細菌、ウイルス、などや異物などによって発生することがある腐敗、炎症などの様々な問題を防ぐことができる。
また、本発明に係るインプラント装置１１００の分離過程を図８ｃと８ｄを参照して説明すると、次の通りである。
【００８０】
まず、目標結合力以上の分離可能な外力（図８ｃおよび図８ｄの「Ｆ−ｅｘｔ」を参照）を加えると、弾性部材結合溝１１５５の溝下部係止部１１５５ａが弾性部材１１５３を加圧すると、弾性部材１１５３は、図８ｄに示すように弾性部材溝１１５７の上側の丸い形状に沿って案内されて弾性部材結合溝１１５５の内側に移動することになる。
【００８１】
次に、図８ｄに示すように弾性部材１１５３が弾性部材結合溝１１５５側に収容されてアバットメント１１３０は、フィクスチャー１１１０から分離されることができる。
【００８２】
これにより本発明によると、フィクスチャーと結合された状態を安定的に維持することができながら、歯のかみ合う咬合力によって一定の外力以下での若干の移動が可能であり、必要に応じてフィクスチャーとアバットメントが結合を維持する目標結合力以上の外力を加えると、アバットメントがフィクスチャーから分離が可能な簡単に着脱することができるインプラント - アバットメント装置を提供することができる。
【００８３】
また、構造が簡単で部品を削減することができ、経済性を向上させることができ、インプラント補綴物の交換作業を容易にすることができ、患者および/または手術者の利便性と信頼性を向上することができる簡単に着脱することができるインプラント - アバットメント装置を提供することができる。
【００８４】
また、結合された状態を、そのまま維持してフィクスチャーとアバットメントの間の緩衝等による流動が発生しないため、流動による隙間に病原菌、ウイルスなどによって汚染されて炎症などを発生させることを防ぐことができるインプラント - アバットメント装置を提供することができる。
<第５の実施例>
本発明に係る他の実施例のインプラント装置１２００に対して、図９を参照して、具体的に説明すると次の通りである。
【００８５】
本実施例は、前述した実施例とは異なり、弾性部材１２５３は弾性変形が可能に結合される弾性部材溝１２５７がフィクスチャー１２１０に形成されてあり、アバットメント１２３０には、弾性部材結合溝１２５５が垂直方向に長く形成されて弾性部材１２５３を収容して結合位置で弾性部材１２５３を結合維持し、変形位置でフィクスチャー１２１０からアバットメント１２３０を分離することができる。すなわち、本実施例は、弾性部材１２５３が内側に収縮するよう弾性変形する性質を備えている。つまり、本発明に係る弾性部材１２５３は、上下方向ないし垂直方向に変形せず、左右方向から水平方向に弾性変形して、ここで、上下方向ないし垂直方向はフィクスチャーにアバットメントが分離または結合される方向を意味する。
【００８６】
そして、本実施例においても、前述したように、結合位置とシンキング位置に対して再び図８ｂの拡大された図面を参照して、具体的に説明すると次の通りである。
【００８７】
ここで、図９の弾性部材結合溝１２５５の点線で示されている部分が結合位置でアバットメント１２３０がフィクスチャー１２１０に結合される過程で、結合する弾性部材溝１２５７側に収縮した/すぼんだ弾性部材１２５３が弾性部材溝１２５７でカチッと結合される位置が結合位置であり、咬合力などの外力によってフィクスチャー１２１０に向かってアバットメント１２３０から作用する垂直力によってフィクスチャー１２１０とアバットメント１２３０が密着してアバットメント１２３０が下降して沈む現象をシンキング形状とし、これらのシンキング現象が起こった位置をシンキング位置として、これを点線で表示し結合位置とシンキング位置との差を、図９の「Ｙｓｉｎｋ」で表示した。
このような本実施例の構成は、前述した構成と位置を除いて、各構成の機能、作用、効果などが、前述した実施例と同様であるので、具体的な説明を省略する。
<第６の実施例>
【００８８】
図１０に示すように、本発明の他の実施例に係るインプラント装置１３００は、フィクスチャーに対してアバットメントが結合された状態で上下の回転を抑制可能に結合部１３１３および係止部１３３３の領域又は前記結合部１３１３および前記係止部１３３３の領域から、延長された領域に六角形の断面のような回転防止部（１３１５、１３３５）をさらに含み、弾性部１３５０は、これらの回転防止部（１３１５、１３３５）に形成されていることに加えて、各構成の機能、作用、効果などは、前述した実施例と同様であるので、具体的な説明を省略する。
<第７の実施例>
【００８９】
一方、本発明の前述した、または後述する複数の実施形態に係るインプラント装置（１１００、１２００、１３００）には、アバットメントがフィクスチャー１１１０と結合される様々な形態である未図示されたサブマージドタイプ（ｓｕｂｍｅｒｇｅｄ  ｔｙｐｅ）と、図１１ａに図示されたインターナルサブマージドタイプ（ｉｎｔｅｒｎａｌ  ｓｕｂｍｅｒｇｅｄ  ｔｙｐｅ）と、図１１ｂに図示されたエクスターナルタイプ（ｅｘｔｅｒｎａｌ  ｔｙｐｅ）とが含まれることが望ましい。
【００９０】
前述したように、図６ないし図９は結合位置で外部からより作用する力によってアバットメントがフィクスチャーに向かってより沈むシンキング形状が発生するが、図１１ａおよび１１ｂは、結合位置で結合された状態を維持してアバットメント（１５３０、１６３０）とフィクスチャー（１５１０、１６１０）が、前述した実施例とは異なり、係止部と結合部が接触する領域がテーパー形状を有し冷間結合され、その状態を維持するコールドウェルディング状態が発生しない。
これらの違いを除いて、前述した例とその作用、効果などが同一なので以下で、本実施形態に係る説明を具体的にしない。
<第８の実施例>
図１２は、本発明の他の実施例に係るインプラント装置１７００を示すものであり、弾性部材１７５３の断面が涙滴状である場合を示す。
【００９１】
これらの楕円形の上で変形された涙滴状は結合力が強く着脱はややしにくい構造に設けられて結合位置をよく維持することができ円形などの構造と比較して結合力と分離される外力を大きくすることができるという利点を持つ。
【００９２】
つまり、このような構造の特徴は、アバットメント１７３０がフィクスチャー１７１０に結合される過程で、弾性部１７５０の弾性部材１７５３の先の尖った部分（図１２の「Ｘ２」の部分を参照）が下側に位置して結合が容易で分離時には、離間された距離（図１２の「Ｋ」を参照）によって弾性部材１７５３が弾性変形され、この過程で上側の尖ってない部分（図１２の「Ｋ１」の部分を参照）で大きな摩擦力が作用することができる構造を有する。つまり、涙滴状は下側が尖って上側が下側よりも尖ってない形状を備えていることが分かる 。
【００９３】
ここで、実施例では弾性部材１７５３の断面は楕円形や整形の円形ではないが、本発明の技術的思想を損なわない範囲で、丸みを帯びた形状の様々な形態で設けられることは無論である。
<第９の実施例>
【００９４】
図１３ａおよび図１３ｂに図示されたように、本発明の他の実施例に係るインプラント装置１８００は、弾性部材１８５３の断面の非定型状（ｉｒｒｅｇｕｌａｒ−ｓｈａｐｅｄ） が含まれている。
【００９５】
図１３ａはフィクスチャー１８１０にアバットメント１８３０が結合される過程を示した断面図であり、図１３ｂは、フィクスチャー１８１０がアバットメント１８３０に結合された結合状態を示す断面図である。
【００９６】
本実施例は、前述した実施例とは異なり、弾性部材１８５３の断面の形状が非定型状な円の形形状であり、外側の下側は、やや尖った楕円形であり、外側の上側は下側よりも尖ってない楕円形であり、内側は非常に大きな曲率半径を有する円弧の一部ないしほぼ平らな構造を有するという点で相違し、他の作用、効果は同じなので、具体的な説明を省略する。
【００９７】
ただし、弾性部材溝１８５７の上端部に弾性部材１８５３の形状に対応して内側から外側に丸みを帯びた形状に形成された溝内面１８５７ｃが形成されているのは、前述した内容と同じである。
<第１０の実施例>
図１４ａないし図１５を参照して、本発明の他の実施例に係るインプラント装置（１９００、１９５０`）について説明すると、次の通りである。
【００９８】
まず、図１４ａおよび図１４ｂによると、インプラント装置１９００は、前記フィクスチャー１９１０および前記アバットメント１９３０は、それぞれ結合部１９１３と係止部１９３３で相互に接触され結合され、前記結合部１９１３または前記係止部１９３３に対して弾性変形が可能に結合されて前記フィクスチャー１９１０に対して、前記アバットメント１９３０が移動することを抑制して結合された状態を維持させることができるように用意された弾性部１９５３;を含むことを特徴とし、前記弾性部１９５３は、前記結合部１９１３と、前記係止部１９３３のいずれか一つに弾性変形が可能に結合された板バネ１９５３ａ と、複数設けられ、前記板バネ１９５３ａの円柱状に着脱可能に前記結合部１９１３と、前記係止部１９３３に結合されたボールを含む位置維持手段１９５３ｂを備える。
【００９９】
つまり、弾性部１９５３で弾性変形することは円周上に一部が開放された板バネ１９５３ａであり、この板バネ１９５３ａの外周上に均等に区画された領域に着脱可能に結合された球形のボールを含む位置維持手段１９５３ｂを備え、板バネ１９５３ａの外周には、位置維持手段１９５３ｂが位置を維持できるように、例えば、貫通して形成されたり未図示された陥没された形状を含むボールシート部材１９５３ｃを備えている。これら球タイプのボール(球形のボール)は、複数の、例えば３つ設けられ、４つないし５つほど設けられることが望ましい。
【０１００】
前述したように、弾性部１９５３には、フィクスチャー１９１０に形成された結合部１９１３にボールを結合するように弾性部材溝１９５７が備えられており、アバットメント１９３０に形成された係止部１９３３には、位置維持手段１９５３ｂと板バネ１９５３ａを結合して板バネ１９５３ａが弾性変形することができるように空間を形成した弾性部材結合溝１９５５が設置されている。参照番号「１９５５ａ」は溝下部係止部を示す。
【０１０１】
以上のように板バネ１９５３ａが外側に弾性変形する性質を持って板バネ１９５３ａの外側に位置維持手段１９５３ｂが結合された実施例は、図１４ａおよび図１４ｂに示され前述したとおりである。
【０１０２】
一方、他の実施例のインプラント装置１９５０‘では逆に板バネ１９５３ａ‘が内側に弾性変形する性質を持って、板バネ１９５３ａ‘の内側に球形のボールを含む位置維持手段１９５３ｂ‘が着脱可能に結合されたことを、他の実施例の図１５に示した。図１５は、図１４ａおよび図１４ｂの参照番号に「 '」という表示をより付着し、その機能などは、前述した例から十分に通常の技術者が類推できるので、以下で具体的な説明を省略する。  
このような構成によって、より構造が簡単で製作、生産、組立、修理などが非常に便利で、経済性を向上することができる。
【０１０３】
本発明の効果を総合すると、フィクスチャーと結合された状態を安定的に維持することができながら、歯のかみ合う咬合力によって一定の外力以下で若干の移動が可能でき、必要に応じてフィクスチャーとアバットメントが結合を維持することを目標結合力以上の外力を加えると、アバットメントがフィクスチャーから分離が可能な簡単に着脱することができるインプラント - アバットメント装置を提供することができる。
【０１０４】
また、構造が簡単で部品を削減することができ、経済性を向上させることができて、インプラント補綴物の交換作業を容易にすることができ、患者および/または手術者の利便性と信頼性を向上することができる簡単に着脱することができるインプラント - アバットメント装置を提供することができる。
【０１０５】
また、結合された状態を、そのまま維持してフィクスチャーとアバットメントの間の緩衝等による流動が発生しないため、流動による隙間に病原菌、ウイルスなどによって汚染されて炎症などを発生させることを防ぐことができるインプラント - アバットメント装置を提供することができる。
【０１０６】
ここで、本発明のいくつかの実施例を図示して説明したが、本発明の属する技術分野の通常の知識を有する当業者であれば、本発明の原則や精神から逸脱ず、本実施例は変形することができる。発明の範囲は、添付された請求項とその均等物によって定められるものである。
【符号の説明】
【０１０７】
１００,１１００：インプラント装置
１０、１０１０：歯槽骨
３０、１０３０：補綴物
５０、１０５０：歯周
１１０、１１１０：フィクスチャー
１１３：雌テーパー部
１１５、１３１５：回転防止部
１３０、１１３０：アバットメント
１３３、１１３３：雄テーパー部
１３５、１３３５：回転防止部
１５０、１１５０：弾性部
１５３、１１５３：弾性部材
１５５、１１５５：弾性部材結合溝
１５５ａ：溝下部係止部
【図１】
0006659923.tif 000002
【図２】
0006659923.tif 000003
【図３ａ】
0006659923.tif 000004
【図３ｂ】
0006659923.tif 000005
【図３ｃ】
0006659923.tif 000006
【図３ｄ】
0006659923.tif 000007
【図３ｅ】
0006659923.tif 000008
【図４】
0006659923.tif 000009
【図５】
0006659923.tif 000010
【図６】
0006659923.tif 000011
【図７】
0006659923.tif 000012
【図８ａ】
0006659923.tif 000013
【図８ｂ】
0006659923.tif 000014
【図８ｃ】
0006659923.tif 000015
【図８ｄ】
0006659923.tif 000016
【図９】
0006659923.tif 000017
【図１０】
0006659923.tif 000018
【図１１ａ】
0006659923.tif 000019
【図１１ｂ】
0006659923.tif 000020
【図１２】
0006659923.tif 000021
【図１３ａ】
0006659923.tif 000022
【図１３ｂ】
0006659923.tif 000023
【図１４ａ】
0006659923.tif 000024
【図１４ｂ】
0006659923.tif 000025
【図１５】
0006659923.tif 000026